(57)【要約】【課題】サブタンクのオーバーフロー検出用のセンサ本体に電気的に接続される接触子をホッパー装置に設けたホッパー装置、サブタンク及びスロットマシンを提供する。【解決手段】ホッパー装置３１０は、メダルを貯留するホッパータンク２１と、このホッパータンク２１内に貯留されたメダルを１枚ずつ排出するホッパー本体２１ａとを備える。ホッパー装置３１０の右側には、ホッパー装置３１０にメダルが一杯になった場合にメダルを補助的に収納するサブタンク７０が配置されている。サブタンク７０内にメダルが一杯になったことを検知するメダル検知センサ本体２４及びアース端子２５は、サブタンク７０のスリット７１、７２に設けられている。これらのメダル検知センサ本体２４及びアース端子２５には、ホッパー装置３１０に設けられたセンサ用接触子３１及びアース端子用接触子３２が挿入され、電気的に接続される。【選択図】　　　　図４
2004141507.tif 000002
【特許請求の範囲】
【請求項１】
遊技用メダルの貯留及び払い出しを行うホッパー装置であって、ホッパー本体と、前記ホッパー本体に設けられ、前記ホッパー本体に近接して配置されるサブタンク内のメダルを検出するメダル検知センサ本体に電気的に接続されるセンサ用接触子とを備え、前記センサ用接触子は、前記ホッパー本体から略水平に突出されることを特徴とするホッパー装置。
【請求項２】
前記センサ用接触子を前記ホッパー本体の背面寄りに設けたことを特徴とする請求項１記載のホッパー装置。
【請求項３】
前記ホッパー本体に、前記ホッパー本体から略水平に突出され、前記サブタンクに設けられて前記サブタンク内のメダルを接地するアース端子に電気的に接触するアース用接触子を備えることを特徴とする請求項１記載のホッパー装置。
【請求項４】
前記センサ用接触子の少なくとも一部を上側に設け、前記アース用接触子を下側に設けたことを特徴とする請求項３記載のホッパー装置。
【請求項５】
前記アース用接触子を複数用意し、前記センサ用接触子と前記アース用接触子を略同じ高さに設けるとともに、複数の前記アース用接触子を前記センサ用接触子の前後に設けることを特徴とする請求項３記載のホッパー装置。
【請求項６】
ホッパー装置から排出される遊技用メダルを貯留するサブタンクであって、側部に立設され内部にメダルを収納する側壁と、この側壁に囲まれて隣接する底部と、前記側壁に設けられ、前記サブタンク内のメダルを検知するメダル検知センサ本体とを備え、前記メダル検知センサ本体は、前記ホッパー装置に設けられるセンサ用接触子に電気的に接続されることを特徴とするサブタンク。
【請求項７】
前記サブタンクは、前記サブタンク内のメダルを接地するアース端子をさらに備え、このアース端子は、前記ホッパー装置に設けられるアース用接触子に電気的に接続されることを特徴とする請求項６に記載のサブタンク。
【請求項８】
前記アース端子の幅は、前記サブタンクの長手方向に沿って前記メダル検知センサ本体の幅より広いことを特徴とする請求項７記載のサブタンク。
【請求項９】
前記メダル検知センサ本体及び前記アース端子は、前記側壁の背面寄りに設けられる突出部に形成され、この突出部の端部には斜面が形成されていることを特徴とする請求項７記載のサブタンク。
【請求項１０】
遊技用メダルの貯留及び払い出しを行うホッパー装置であって、ホッパー本体と、前記ホッパー装置に近接して配置されるサブタンク内のメダルを検知するメダル検知センサ本体に電気的に接続されるセンサ用接触子と、前記センサ用接触子が取り付けられる接触子取り付け板とを備えるホッパー装置。
【請求項１１】
前記接触子取り付け板は、ホッパー装置に近接して配置されるサブタンク内のメダルを接地するアース端子に電気的に接続されるアース用接触子をさらに備えることを特徴とする、請求項１０に記載のホッパー装置。
【請求項１２】
ホッパー装置から排出される遊技用メダルを貯留するサブタンクであって、側部に立設され内部にメダルを収納する側壁と、この側壁に囲まれて隣接する底部と、前記側壁に設けられ、前記サブタンク内のメダルを検知するメダル検知センサ本体とを備え、前記メダル検知センサ本体は、前記ホッパー装置に設けられるセンサ用接触子に電気的に接続されることを特徴とするサブタンク。
【発明の詳細な説明】
【０００１】
【発明の属する技術分野】
この発明は、サブタンクのメダル検知センサ用接触子を備えたホッパー装置及びサブタンクに関する。
【０００２】
【従来の技術】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
従来のスロットマシンでは、入賞時にメダルが払い出されるが、メダルの払い出しにはホッパー装置、例えば回転式のホッパー装置が使用される。ホッパー装置の上部にはメダルを貯留するホッパータンクが設けられている。このホッパータンクにメダルが供給されるが、メダルが過剰に供給されてホッパー装置がオーバーフローすると、ホッパー装置に隣接するサブタンクにメダルが排出される。サブタンクにメダルが溜まると、遊技機筐体の底板又は背板に設けられサブタンク内に挿入されているセンサがこれを検知して、外部に通報する。これを受けて、係員がスロットマシンの前面パネルを開けてサブタンクを取り出し、メダルの回収を行う。
【０００４】
【発明が解決しようとする課題】
しかし、サブタンクのオーバーフロー検出用のセンサは遊技機の筐体に設けられていたため、当該センサの検出信号をメイン基板（ＣＰＵ）に伝えるために、専用のワイヤハーネス（ケーブル）が必要であった。ところが、筐体の組み立て時において、ワイヤハーネスを作製するためには、電線を所定の長さに切断し、これらを結束してセンサとコネクタとを半田付けした後にクランプで筐体に取り付ける煩雑な作業が必要であるという問題点があった。
【０００５】
本発明は、このような従来の問題点を解決するためになされたものであり、サブタンクのオーバーフロー検出用のセンサ本体に電気的に接続される接触子をホッパー装置に設けることにより、センサの信号を伝達するワイヤをホッパー装置のワイヤハーネスと一体化して、その工数を削減できるホッパー装置及びサブタンクを得ることを目的とする。
【０００６】
【課題を解決するための手段】
この発明に係るホッパー装置は、遊技用メダルの貯留及び払い出しを行うホッパー装置であって、ホッパー本体と、前記ホッパー本体に設けられ、前記ホッパー本体に近接して配置されるサブタンク内のメダルを検出するメダル検知センサ本体に電気的に接続されるセンサ用接触子とを備え、前記センサ用接触子は、前記ホッパー本体から略水平に突出される。
【０００７】
好ましくは、前記センサ用接触子を前記ホッパー本体の背面寄りに設ける。
【０００８】
さらに、前記ホッパー本体に、前記ホッパー本体から略水平に突出され、前記サブタンクに設けられて前記サブタンク内のメダルを接地するアース端子に電気的に接触するアース用接触子を備えるようにしてもよい。
【０００９】
好ましくは、前記センサ用接触子の少なくとも一部を上側に設け、前記アース用接触子を下側に設ける。
【００１０】
好ましくは、前記アース用接触子を複数用意し、前記センサ用接触子と前記アース用接触子を略同じ高さに設けるとともに、複数の前記アース用接触子を前記センサ用接触子の前後に設ける。
【００１１】
この発明に係るサブタンクは、ホッパー装置から排出される遊技用メダルを貯留するサブタンクであって、側部に立設され内部にメダルを収納する側壁と、この側壁に囲まれて隣接する底部と、前記側壁に設けられ、前記サブタンク内のメダルを検知するメダル検知センサ本体とを備え、前記メダル検知センサ本体は、前記ホッパー装置に設けられるセンサ用接触子に電気的に接続される。
【００１２】
前記サブタンクは、前記サブタンク内のメダルを接地するアース端子をさらに備え、このアース端子は、前記ホッパー装置に設けられるアース用接触子に電気的に接続されるようにしてもよい。
【００１３】
好ましくは、前記アース端子の幅は、前記サブタンクの長手方向に沿って前記メダル検知センサ本体の幅より広い。
【００１４】
好ましくは、前記メダル検知センサ本体及び前記アース端子は、前記側壁の背面寄りに設けられる突出部に形成され、この突出部の端部には斜面が形成されている。
【００１５】
この発明に係るホッパー装置は、遊技用メダルの貯留及び払い出しを行うホッパー装置であって、ホッパー本体と、前記ホッパー装置に近接して配置されるサブタンク内のメダルを検知するメダル検知センサ本体に電気的に接続されるセンサ用接触子と、前記センサ用接触子が取り付けられる接触子取り付け板とを備える。
【００１６】
前記接触子取り付け板は、ホッパー装置に近接して配置されるサブタンク内のメダルを接地するアース端子に電気的に接続されるアース用接触子をさらに備えるようにしてもよい。
【００１７】
この発明に係るサブタンクは、ホッパー装置から排出される遊技用メダルを貯留するサブタンクであって、側部に立設され内部にメダルを収納する側壁と、この側壁に囲まれて隣接する底部と、前記側壁に設けられ、前記サブタンク内のメダルを検知するメダル検知センサ本体とを備え、前記メダル検知センサ本体は、前記ホッパー装置に設けられるセンサ用接触子に電気的に接続される。
【００１８】
【発明の実施の形態】
発明の実施の形態１．
【００１９】
この発明の実施の形態１に係るホッパー装置を備えたスロットマシンについて、図面を参照して説明する。
【００２０】
図１は、本発明における発明の実施の形態１に係るスロットマシンの正面図である。
【００２１】
スロットマシン１０で遊技を楽しもうとする遊技者は、まずメダル貸機（図示しない）等から遊技媒体であるメダルを借り、メダル投入装置のメダル投入口１００に直接メダルを入れることができる。スロットマシン１０は、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ベットスイッチ１６は、回転リール４０の下方に位置するスイッチであって、貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはベットスイッチ１６の操作を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【００２２】
スロットマシン１０には、メダル投入口１００から投入されるメダルを受けてこれを送り出す図示しないメダル投入装置の本体、送り出されたメダルを受けて正しいメダルかどうか判別する図示しないメダルセレクタ及びスロットマシン１０内に貯留されたメダルを払い出すためのメダル払い出しホッパー装置（後述）を備える。
【００２３】
メダルセレクタは、筐体の前扉の裏面においてメダル投入装置のメダル排出側に設けられている。メダルセレクタは排出されたメダルの通過を検出しながら、メダルをホッパー装置に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。メダルセレクタの下側には、その下部側を覆って下皿に連通する導出路が設けられている。メダルセレクタにより振り分けられたメダルは、この導出路を介して下皿から遊技者に返却される。メダルセレクタは、メダルセレクタ本体と、投入されたメダルをメダルセレクタ内に導くメダル投入部と、メダルセレクタから排出されるメダルをホッパー装置に向かって排出するメダル排出部と、メダルセレクタから下皿にメダルを返却するメダル返却部とを備えている。
【００２４】
筐体の内部には、その内底面に固定され、内部に複数のメダルを貯留して、貯留したメダルをメダル払い出し口３０４に１枚ずつ払い出すためのホッパー装置３１０（図２参照）が設置されている。このホッパー装置３１０の上部には、上方に向けて開口し、内部に複数のメダルを貯留するホッパータンクを備えている。
【００２５】
図２はホッパー装置の正面図（図２（ａ））、右側面図（図２（ｂ））、上面図（図２（ｃ））である。
【００２６】
このホッパー装置３１０は、大別すると、メダルを貯留するホッパータンク２１と、このホッパータンク２１内に貯留されたメダルを１枚ずつ排出するホッパー本体２１ａとを備える。上記ホッパー本体２１ａは、大別すると、ホッパーシャーシ２２と、このホッパーシャーシ２２に回転可能に支持され、ホッパータンク２１から落下したメダルが上方より１枚ずつはまり込む複数個、ここでは５個のメダル落とし穴２３ａを有するロータディスク２３と、このロータディスク２３を回転するＤＣモーター（図示しない）とを備えている。このＤＣモーターの駆動力により回転するロータディスク２３の回転時に、ロータディスク２３のメダル落とし穴２３ａに落ち込んだメダルは、メダル排出口２７ａから外部に排出される。一方、ホッパータンク２１に多量にメダルが溜まったとき、溢れたメダルはメダル転送口２７ｂを通ってサブタンク７０に落下する。
【００２７】
ロータディスク２３のメダル落とし穴２３ａに落ち込んだメダルが、ロータディスク２３の回転に伴いメダル排出口２７ａに位置すると、当該メダルはメダル排出口２７ａを通って外部に排出される。このように、ロータディスク２３の回転に伴い、メダルが順番に排出される。
【００２８】
図３は、図２（ａ）に示したホッパー装置３１０に隣接してサブタンク７０が配置された状態を示す。
【００２９】
図４は、ホッパー装置のそれぞれ正面図（図４（ａ））、右側面図（図４（ｂ））、平面図（図４（ｃ））である。
【００３０】
このホッパー装置３１０は、大別すると、メダルを貯留するホッパータンク２１と、このホッパータンク２１内に貯留されたメダルを１枚ずつ排出するホッパー本体２１ａとを備える。ホッパー本体２１ａの正面には、メダルを払い出すメダル払い出し口２７ａが設けられている。また、ホッパー装置３１０の正面右側には、ホッパー装置３１０にメダルが一杯になった場合にメダルを補助的に収納するサブタンク７０が配置されている。サブタンク７０には、第１のスリット７１及び第２のスリット７２が設けられており、これら第１及び第２のスリット７１及び７２には、サブタンク７０内にメダルが一杯になったことを検知するメダル検知センサ本体２４及びメダルに帯電した電荷を放電するアース端子２５がそれぞれ設けられている。
【００３１】
後述する図５に示すように、２つのメダル検知センサ本体２４は、第１のスリット７１に対向して配置される一対の本体部２４ａ、２４ｂからそれぞれ構成され、アース端子２５は、第２のスリット７２に対向して配置される一対の端子部２５ａ、２５ｂから構成されている（なお、図６及び図７に示すように、一対の端子を一体とし、それをＵ字型に曲げるようにしてもよい）。メダル検知センサ本体２４には、その本体部２４ａ及び２４ｂに挟持されて電気的に接続されるセンサ用接触子３１が挿入される。このセンサ用接触子３１は、ホッパー装置３１０のホッパー本体２１ａからほぼ水平に突出して設けられている。同様に、アース端子２５には、端子部２５ａ及び２５ｂに挟持されて電気的に接続されるアース端子用接触子３２が挿入され、このアース端子用接触子３２は、ホッパー装置３１０のホッパー本体２１ａからほぼ水平に突出して設けられている。これらの接触子３１、３２を使用することにより、他の配線等を設ける必要が排除される。また、例えば角棒状の接触子３１、３２を使用することにより、サブタンク７０をホッパー装置３１０に対して機械的に保持することも併せて行われる。
【００３２】
図５は、サブタンク７０を示す概略斜視図である。この図に示すように、サブタンク７０にはメダル検知センサ本体２４及びアース端子２５を設けるために第１のスリット７１及び第２のスリット７２が設けられている。これらのスリット７１及び７２を設けたのは、図６（ａ）に示すように、サブタンク７０をスロットマシン１０の筐体１０Ａに対して前後に動かして脱着すると共に、図６（ｂ）に示すように、ホッパー装置３１０を脱着するときにサブタンク７０をそのまま残すことを可能にするため、すなわちホッパー装置３１０とサブタンク７０との干渉を避けるためである。
【００３３】
第１及び第２のスリット７１及び７２は、サブタンク７０の突出部７３に形成されている。仮にサブタンク７０の側部全体に第１及び第２のスリット７１及び７２を設けると、センサ用接触子３１及びアース端子用接触子３２が第１及び第２のスリット７１及び７２に挿入される際にメダルの抵抗により脱着に力を要すると共に、センサ用接触子３１及びアース端子用接触子３２を破損する恐れがあるため、サブタンク７０に突出部７３を設けたものである。また、突出部７３の一方の端部には斜面７４が設けられており、サブタンク本体７５から突出部７３へのメダルの流れを円滑にすることができる。さらに、図７に示すように、サブタンク７０の第１及び第２のスリット７１又は７２における本体部２４ａ、２４ｂ又は端子部２５ａ、２５ｂに隣接する部分には、メダルが漏れないように傾斜面７６が形成されている。
【００３４】
次に、発明の実施の形態１によるホッパー装置３１０の動作について説明する。まず、図６（ａ）に示すように、スロットマシン１０の筐体１０Ａにホッパー装置３１０が設置されている。この状態で、さらにサブタンク７０を筐体１０Ａに設置する。すなわち、図４に示すように、サブタンク７０に設けられたメダル検知センサ本体２４及びアース端子２５に、ホッパー本体２１ａから突出したセンサ用接触子３１及びアース端子用接触子３２が挿入されるように、取手７０ａでサブタンク７０を前方に押して筐体１０Ａ内に設置する。ホッパー装置３１０に貯留されるメダルは、ホッパー装置３１０から溢れると、ホッパータンク２１に形成された図示しないメダル排出口からサブタンク７０内に導かれる。
【００３５】
このとき、メダルがホッパー装置３１０等を通過する際に摩擦により帯電する場合が多く、制御回路等の誤動作の原因となることからアース端子２５を設け、メダルに帯電した電荷をアース端子２５からアース端子用接触子３２を経由して放電する。このため、サブタンク７０を筐体１０Ａに脱着する際にメダル検知センサ本体２４よりも先にメダルに接触するように、アース端子２５はメダル検知センサ本体２４よりも幅広に作製されることが望ましい。
【００３６】
サブタンク７０内のメダルが徐々に蓄積し、メダルがメダル検知センサ本体２４に接触すると、メダル検知センサ本体２４はサブタンク７０が一杯になったことを検知する。メダル検知センサ本体２４に挿入されるセンサ用接触子３１のワイヤハーネスはホッパー装置３１０のワイヤハーネスと一体化されているので、ホッパー装置３１０の制御信号やモータ駆動回路等とメダル検知センサ本体２４の検知信号とは、同じワイヤハーネスを通してスロットマシン１０のメイン基板（図示しない）に伝達される。従って、センサ用接触子３１及びアース端子用接触子３２専用のワイヤハーネスを作製する工程を削減することができる。
【００３７】
こうして、サブタンク７０内にメダルが一杯になったことを、メダル検知センサ本体２４が短絡されることにより検知されると、検知信号はセンサ用接触子３１及びホッパー装置３１０を経由してコンピュータを含む制御装置（図示しない）に伝達され、制御装置からスロットマシン１０の外部に通報される。どのスロットマシン１０でサブタンク７０が一杯になったかがランプの点滅、警告音等で通報されると、係員がスロットマシン１０の前面パネルを開け、取手７０ａでサブタンク７０を取り出し、サブタンク７０内のメダルを回収する。
【００３８】
なお、上述した発明の実施の形態１では、図８に示すように、２つのメダル検知センサ本体２４をサブタンク７０上部の第１のスリット７１に設け、アース端子２５をサブタンク７０下部の第２のスリット７２に設け、角棒状のセンサ用接触子３１及びアース端子用接触子３２を使用した場合について説明した。しかし、本発明はこれに限定するものではなく、図９に示すように、丸棒状のセンサ用接触子３１ａ及びアース端子用接触子３２ａを使用することも可能である。接触子が丸棒状であると、メダル検知センサ本体２４及びアース端子２５へ摺動して挿入される動作が容易となる。
【００３９】
さらに、図１０に示すように、メダル検知センサ本体２４の一方をサブタンク７０上部の第１のスリット７１に設け、メダル検知センサ本体２４の他方をサブタンク７０下部の第２のスリット７２に２つのアース端子２５間に挟まれるように設けてもよい。メダル検知センサ本体２４間に高低差を設けることによって、より正確なメダルの検知を行うことができる。また、アース端子２５がサブタンク７０内のメダルに最初に接触することにより、メダルに帯電した電荷をアース端子２５から放電することができる。また、図１１に示すように、メダル検知センサ本体２４及びアース端子２５を共にサブタンク７０上部の第１のスリット７１に設けることも可能である。この場合、メダル検知センサ本体２４及びアース端子２５が同じ高さに設けられているため、サブタンク７０にはスリット７１を１つだけ設ければよい。またこの場合も、アース端子２５がサブタンク７０内のメダルに最初に接触することにより、メダルに帯電した電荷をアース端子２５により放電することができる。
【００４０】
図１２は、発明の実施の形態１における種々の変形例を示した図である。図において、まず、メダル検知センサ本体２４は、本体部２４ａ、２４ｂから構成される場合だけでなく、内端部が閉じられた断面コの字状のメダル検知センサ本体２４ｃを使用することも可能である。アース端子２５も同様に、内端部が閉じられた断面コの字状のアース端子２５ｃを使用することができる。また、先端部が段差を有して薄く形成されたセンサ用接触子３１ａ、アース端子用接触子３２ａを使用することもできる。この場合、メダル検知センサ本体２４ｃ及びアース端子２５ｃとセンサ用接触子３１ａ及びアース端子用接触子３２ａとの電気的接触を確実にするために、メダル検知センサ本体２４ｃ、アース端子用接触子３２ｃ内に種々の形状のバネ部材２６を設けることが望ましい。
【００４１】
次に、サブタンク７０が金属で作製されている場合、サブタンク７０本体とメダル検知センサ本体２４、２４ｃやアース端子２５、２５ｃとの短絡を避けるために、絶縁部材７７を設けることが望ましい。ここで、サブタンク７０は例えば合成樹脂等の絶縁性材料から射出成形等により好適に作製することができる。この場合には、絶縁部材７７の使用は不要となる。また、サブタンク７０本体にメダル検知センサ本体２４、２４ｃ及びアース端子２５、２５ｃを固定する際に、堅固に固定するために補強部材７８を使用することが望ましい。
発明の実施の形態２．
【００４２】
発明の実施の形態１においては、メダル検知センサ本体２４及びアース端子２５をサブタンク７０に設け、ホッパー装置３１０にセンサ用接触子３１及びアース端子用接触子３２を設けた場合について説明したが、この発明の実施の形態２では、ホッパー装置３１０にセンサ取り付け板８１を設け、このセンサ取り付け板８１にセンサ用接触子３１及びアース端子用接触子３２を設けたものである。なお、このホッパー装置３１０を備えたスロットマシン１０の構成及び動作は、発明の実施の形態１と同様である。
【００４３】
図１３は、ホッパー装置３１０に設けられるセンサ取り付け板８１を示すそれぞれ正面図（図１３（ａ））及び側面図（図１３（ｂ））である。また、図１４は、ホッパー装置にサブタンクが取り付けられた状態を示す正面図である。これらの図において、センサ取り付け板８１には、２つのセンサ用接触子３１及び１つのアース端子用接触子３２がほぼ水平に突出して設けられている。また、サブタンク７０の後部には、これらのセンサ用接触子３１及びアース端子用接触子３２が挿入されるメダル検知センサ本体２４及びアース端子２５を備えている。このセンサ取り付け板８１は、図１４に示すように、ホッパー装置３１０に隣接して設置されると共に、ホッパー装置３１０から直接配線（図示しない）が行われており、サブタンク７０はセンサ取り付け板８１に密着するように奥まで押し込まれる。このような配置により、メダル検知センサ本体２４及びアース端子２５がサブタンク７０内のメダルを検知すると、この検知信号はセンサ用接触子３１及びアース端子用接触子３２からホッパー装置３１０に伝達される。
【００４４】
発明の実施の形態２では、センサ取り付け板８１を設けることにより、従来のサブタンク７０にメダル検知センサ本体２４及びアース端子２５に設けたものを使用することができる利点がある。併せて、メダル検知センサ本体２４及びアース端子２５専用のワイヤハーネスを削減することができる。
【００４５】
本発明は、以上の実施の形態に限定されることなく、特許請求の範囲に記載された発明の範囲内で、種々の変更が可能であり、それらも本発明の範囲内に包含されるものであることは言うまでもない。
【００４６】
【発明の効果】
以上のとおり、本発明によれば、サブタンクのオーバーフロー検出用のセンサ本体に電気的に接続される接触子をホッパー装置に設けることにより、センサの信号を伝達するワイヤをホッパー装置のワイヤハーネスと一体化して、その工数を削減できるという効果を奏する。
【００４７】
また、アース端子に接続されるアース端子用接触子をホッパー装置に設けることにより、メダルに帯電した電荷をメダル検知センサに接触する前に放電し、制御回路等の誤動作を防止することができるという効果を奏する。
【図面の簡単な説明】
【図１】本発明における発明の実施の形態１に係るスロットマシンの正面図である。
【図２】図１のスロットマシンに使用されるホッパー装置を示すそれぞれ正面図（図２（ａ））、右側面図（図２（ｂ））、上面図（図２（ｃ））である。
【図３】図２（ａ）に示すホッパー装置に隣接してサブタンクが配置された状態を示す概略図である。
【図４】図１のスロットマシンに使用されるホッパー装置を示すそれぞれ正面図（図４（ａ））、右側面図（図４（ｂ））、平面図（図４（ｃ））である。
【図５】サブタンクを示す概略斜視図である。
【図６】ホッパー装置及びサブタンクをスロットマシンの筐体に脱着する状態を示す概略図である。
【図７】サブタンクのスリットを示す概略拡大断面図である。
【図８】サブタンクのスリット部分を示す概略図である。
【図９】サブタンクのスリット部分を示す概略図である。
【図１０】サブタンクのスリット部分を示す概略図である。
【図１１】サブタンクのスリット部分を示す概略図である。
【図１２】種々の変形例によるサブタンクのスリット部分を示す概略拡大断面図である。
【図１３】本発明における発明の実施の形態２に係るホッパー装置に設けられるセンサ取り付け板を示すそれぞれ正面図（図１３（ａ））及び側面図（図１３（ｂ））である。
【図１４】ホッパー装置にサブタンクが取り付けられた状態を示す正面図である。
【符号の説明】
１０　　スロットマシン
１１　　筐体
１１ａ　側壁
１２　　表示窓
１３　　図柄表示窓
１６　　ベットスイッチ
１７　　精算スイッチ
２１　　ホッパータンク
２１ａ　　ホッパー本体
２２　　ホッパーシャーシ
２３　　ローターディスク
２３ａ　メダル落とし穴
２４、２４ｃ　メダル検知センサ本体
２４ａ、２４ｂ　本体部
２５、２５ｃ　アース端子
２５ａ、２５ｂ　端子部
２６　　バネ部材
２７ａ　　メダル排出口（メダル払い出し口）
３１　　センサ用接触子
３１ａ　丸棒状のセンサ用接触子
３２　　アース端子用接触子
３２ａ　丸棒状のアース端子用接触子
４０　　回転リール
４２　　リールテープ
５０　　ストップスイッチ
６０　　リールユニット
６１　　図柄
７０　　サブタンク
７０ａ　取手
７１　　第１のスリット
７２　　第２のスリット
７３　　突出部
７４　　斜面
７５　　サブタンク本体
７６　　傾斜面
７７　　絶縁部材
７８　　補強部材
８１　　センサ取り付け板
１００　メダル投入口
３０４　メダル払い出し口
３１０　（メダル払い出し）ホッパー装置
【図１】
2004141507.tif 000003
【図２】
2004141507.tif 000004
【図３】
2004141507.tif 000005
【図４】
2004141507.tif 000006
【図５】
2004141507.tif 000007
【図６】
2004141507.tif 000008
【図７】
2004141507.tif 000009
【図８】
2004141507.tif 000010
【図９】
2004141507.tif 000011
【図１０】
2004141507.tif 000012
【図１１】
2004141507.tif 000013
【図１２】
2004141507.tif 000014
【図１３】
2004141507.tif 000015
【図１４】
2004141507.tif 000016